(57)【要約】【課題】  座席の幅方向に互いに間隔をあけて配置された一対のサイドプレートと、その両サイドプレートを固定連結する連結部材と、両サイドプレートに掛け渡されたチャイルドシート保持部材とを有するクッションフレームを具備するシートクッションと、シートバックとを備えた自動車の座席において、シートバックが激しく振動するぶるぶる振動の発生を阻止する。【解決手段】  チャイルドシート保持部材８の一方の端部は一方のサイドプレート６に固着され、チャイルドシート保持部材８の他方の端部１５Ａは、他方のサイドプレート６Ａに形成された孔に、受け部材１７を介して、チャイルドシート保持部材８の軸線方向に可動に嵌合している。【選択図】  図２
2005145302.tif 000002
【特許請求の範囲】
【請求項１】
着座者の尻部を支えるシートクッションと、着座者の背部を支えるシートバックとを有する自動車の座席であって、前記シートクッションのクッションフレームは、座席の幅方向に互いに間隔をあけて配置された一対のサイドプレートと、その各サイドプレートに固着されて両サイドプレートを連結する連結部材と、両サイドプレートに掛け渡されたチャイルドシート保持部材とを有している自動車の座席において、前記チャイルドシート保持部材の一方の端部は、一方のサイドプレートに固着され、チャイルドシート保持部材の他方の端部は、他方のサイドプレートに形成された孔に、該チャイルドシート保持部材の軸線方向に可動に嵌合していることを特徴とする自動車の座席。
【請求項２】
前記チャイルドシート保持部材は座席の幅方向に延びていて、該チャイルドシート保持部材の他方の端部は、他方のサイドプレートに形成された孔に、座席の幅方向に可動に嵌合している請求項１に記載の自動車の座席。
【請求項３】
前記チャイルドシート保持部材の他方の端部は、前記他方のサイドプレートに形成された孔に嵌着された樹脂製の受け部材を介して、該孔に嵌合している請求項１又は２に記載の自動車の座席。
【発明の詳細な説明】
【技術分野】
【０００１】
本発明は、着座者の尻部を支えるシートクッションと、着座者の背部を支えるシートバックとを有する自動車の座席に関するものである。
【背景技術】
【０００２】
乗用車、トラック或いはバスなどの自動車の車室内に上記形式の座席を配置することは従来より周知である。かかる座席のシートクッションのフレームをクッションフレームと称することにすると、座席の幅方向に互いに間隔をあけて配置された一対のサイドプレートと、その各サイドプレートに固着されて両サイドプレートを連結する連結部材と、両サイドプレートに掛け渡されたチャイルドシート保持部材とを有するクッションフレームも従来より公知である。チャイルドシート保持部材は、座席に装着されたチャイルドシートを保持するものであり、自動車が急発進したり、急停車したり、或いは車体に大きな外力が加えられたような場合も、チャイルドシートが座席から離脱しないように、チャイルドシート保持部材によってチャイルドシートを確実に保持できるように構成する必要がある。
【０００３】
このため、従来は、チャイルドシート保持部材の各端部を、各サイドプレートに例えば溶接によって強固に固着し、クッションフレーム全体の剛性と強度を高め、チャイルドシートを確実に保持できるように構成していた。
【０００４】
ところで、この種の座席が、車体から加えられる外振力によって共振することは避けられない。その際、座席の共振と、自動車の車体自体の共振が同時に発生すると、座席、特にそのシートバックが大きな振幅で激しく振動し、着座者に不快感を与えるおそれがある。このような座席の振動は、一般に「ぶるぶる振動」と称せられている。
【０００５】
そこで、従来は、シートバックにダイナミックダンパを設け、座席の共振時の振幅を小さく抑えるか、シートバックにマスダンパを設け、座席の固有振動数を車体の固有振動数から外れた値に設定する構成が採用されている（特許文献１参照）。ところが、これらの構成は、シートバックにダイナミックダンパ或いはマスダンパを設ける必要があるため、座席のコストが上昇し、しかも座席の重量が増大する欠点を免れない。
【０００６】
【特許文献１】特開２００３−２２６１７９号公報（第２−３頁、図１−図４）
【発明の開示】
【発明が解決しようとする課題】
【０００７】
本発明の目的は、シートバックが大きな振幅で激しく振動するぶるぶる振動の発生を阻止し、かつコストと重量の増大を抑えた自動車の座席を提供することにある。
【課題を解決するための手段】
【０００８】
本発明は、上記目的を達成するため、着座者の尻部を支えるシートクッションと、着座者の背部を支えるシートバックとを有する自動車の座席であって、前記シートクッションのクッションフレームは、座席の幅方向に互いに間隔をあけて配置された一対のサイドプレートと、その各サイドプレートに固着されて両サイドプレートを連結する連結部材と、両サイドプレートに掛け渡されたチャイルドシート保持部材とを有している自動車の座席において、前記チャイルドシート保持部材の一方の端部は、一方のサイドプレートに固着され、チャイルドシート保持部材の他方の端部は、他方のサイドプレートに形成された孔に、該チャイルドシート保持部材の軸線方向に可動に嵌合していることを特徴とする自動車の座席を提案する（請求項１）。
【０００９】
また、上記請求項１に記載の自動車の座席において、前記チャイルドシート保持部材は座席の幅方向に延びていて、該チャイルドシート保持部材の他方の端部は、他方のサイドプレートに形成された孔に、座席の幅方向に可動に嵌合していることが好ましい（請求項２）。
【００１０】
さらに、上記請求項１又は２に記載の自動車の座席において、前記チャイルドシート保持部材の他方の端部は、前記他方のサイドプレートに形成された孔に嵌着された樹脂製の受け部材を介して、該孔に嵌合していることが好ましい（請求項３）。
【発明の効果】
【００１１】
本発明によれば、簡単な構成によって、座席のぶるぶる振動の発生を阻止し、かつ座席のコスト上昇とその重量の増大を抑えることができる。
【発明を実施するための最良の形態】
【００１２】
以下、本発明の好ましい実施形態例を図面に従って説明する。
【００１３】
図１は自動車の車室内に配置された座席１の斜視図である。ここに示した自動車の座席１は、図示していない着座者の尻部を支えるシートクッション２と、着座者の背部を支えるシートバック３とを有している。図１における符号Ｗは、座席１の幅方向を示し、符号Ｌは座席１の前後方向を示している（図２においても同じ）。
【００１４】
ここで、シートクッション２のフレームを前述のようにクッションフレームと称し、他方、シートバック３のフレームをバックフレームと称することにする。図２は図１に示した座席１のクッションフレーム４とバックフレーム５を示す斜視図である。クッションフレーム４は、座席１の幅方向Ｗに互いに間隔をあけて配置された一対のサイドプレート６，６Ａと、その各サイドプレート６，６Ａに例えば溶接によって固着されて、両サイドプレート６，６Ａを連結する連結部材７と、両サイドプレート６，６Ａに掛け渡されたチャイルドシート保持部材８とを有している。
【００１５】
連結部材７は、その各端部が各サイドプレート６，６Ａの前部に固着され、チャイルドシート保持部材８は、両サイドプレート６，６Ａの後部に架橋されている。サイドプレート６，６Ａ、連結部材７及びチャイルドシート保持部材８は、強度と剛性の大なる材料、例えば金属によって構成されている。かかるサイドプレート６，６Ａは、車体のフロアパネル（図示せず）に直に又は他の部材を介して固定され、或いは図示していないシートトラックを介して、座席の前後方向に移動可能に、フロアパネルに支持される。
【００１６】
上述のクッションフレーム４に、図１に示したシートクッション本体９が載置され、該本体９がクッションフレーム４に着脱可能に固定されている。かかるシートクッション本体９は、それ自体周知のように、例えば、パッド、そのパッドを覆う表皮、ばね、及びこれらを支持する支持板などから構成されている。
【００１７】
また、バックフレーム５も、強度と剛性の大なる材料、例えば金属により構成され、その各下端部１０，１０Ａが、枢軸１２を介して各連結板１１，１１Ａに回動可能に連結され、各連結板１１，１１Ａは、クッションフレーム４の各サイドプレート６，６Ａの上部にボルトとナットによって固定されている。かかるバックフレーム５に、図１に示したシートバック本体１３が固定されて座席１が構成される。シートバック本体１３も、例えば、パッド、これを覆う表皮、ばねなどから構成されている。シートバック３は、図示していないシートリクライナーの作用により、座席１の前後方向に段階的に傾動することができる。
【００１８】
図２に示したチャイルドシート保持部材８は、内部が中空なパイプにより構成され、かかるチャイルドシート保持部材８の外周面に複数のアンカ１４が固着されている。図１に示した座席１にチャイルドシート（図示せず）を装着したとき、そのチャイルドシートを図２に示したアンカ１４に係止する。これにより、チャイルドシートは、アンカ１４を介してチャイルドシート保持部材８に連結され、自動車が急発進したり、急停車したり、或いは車体に大きな外力が加えられたときも、チャイルドシートはチャイルドシート保持部材８によって強固に保持され、座席１から離脱することはない。
【００１９】
ここで、図２及び図３に示すように、チャイルドシート保持部材８の一方の端部１５は、一方のサイドプレート６に形成された孔１６に嵌合すると共に、その一方のサイドプレート６に例えば溶接によって一体に固着されている。また、図２及び図４に示すように、チャイルドシート保持部材８の他方の端部１５Ａは、他方のサイドプレート６Ａに形成された孔１６Ａに、そのチャイルドシート保持部材８の軸線方向に可動に嵌合している。
【００２０】
より具体的に示すと、チャイルドシート保持部材８は座席１の幅方向Ｗに延びていて、そのチャイルドシート保持部材８の他方の端部１５Ａが、他方のサイドプレート６Ａに形成された孔１６Ａに、座席１の幅方向Ｗに可動に嵌合しているのである。また、図示した例では、図５にも示すように、チャイルドシート保持部材８の他方の端部１５Ａは、他方のサイドプレート６Ａに形成された孔１６Ａに嵌着された樹脂製の受け部材１７を介して、該孔１６Ａに嵌合している。
【００２１】
上述した座席１によれば、チャイルドシート保持部材８の他方の端部１５Ａが他方のサイドプレート６Ａに対して座席１の幅方向Ｗに移動可能に嵌合しているので、チャイルドシート保持部材の各端部を各サイドプレートに強固に固着した場合に比べて、座席１の幅方向Ｗにおける剛性が低下し、これによって座席１のぶるぶる振動の発生を阻止することができる。かかる作用の得られる理由は、座席１の剛性が下がると、座席１の固有振動数が小さくなり、これによって座席１の固有振動数が車体の固有振動数よりも小さくなり、車体の共振と座席１の共振が同時に発生することがなくなり、座席１のぶるぶる振動が発生しなくなるためであると考えられる。
【００２２】
車体の固有振動数は、例えば１５乃至２５Ｈｚの範囲にあり、座席の固有振動数がこの範囲内にあると、車体の共振と座席の共振が同時に発生し、これによって座席のシートバックが大きな振幅で激しく振動するぶるぶる振動が発生するが、本例の座席１の固有振動数は、車体の固有振動数よりも小さな値となるので、座席１が共振したとき、車体は共振しておらず、これによって座席１のシートバック３の振動の振幅は小さく留められ、着座者に不快感を与えることはない。このように、本例の座席１によれば、そのシートバック３にダイナミックダンパ或いはマスダンパを設けずとも、座席１のぶるぶる振動の発生を防止することができ、座席１のコストの上昇と、その重量の増大を阻止できる。
【００２３】
また、チャイルドシート保持部材８の一方の端部１５は一方のサイドプレート６に固着され、かつチャイルドシート保持部材８の他方の端部１５Ａは他方のサイドプレート６の孔１６Ａに、座席１の幅方向に移動可能に貫通しているので、チャイルドシート保持部材８は、座席１の前後方向Ｌには、両サイドプレート６，６Ａに対して強固に連結される。従って、チャイルドシート保持部材８はチャイルドシートを強固に保持し、その本来の機能が害されることはない。
【００２４】
また、チャイルドシート保持部材８の他方の端部１５Ａを他方のサイドプレート６Ａの孔１６Ａに直に嵌合させてもよいが、本例のように、その端部１５Ａを、樹脂製の受け部材１７を介して孔１６Ａに嵌合させると、チャイルドシート保持部材８の他方の端部１５Ａが、他方のサイドプレート１６Ａに対して、座席１の幅方向に作動したとき、その端部１５Ａが樹脂製の受け部材１７に対して摺動するので、異音が発生する不具合を防止することができる。
【図面の簡単な説明】
【００２５】
【図１】座席の一例を示す斜視図である。
【図２】図１に示した座席のクッションフレームとバックフレームを示す斜視図である。
【図３】図２のＩＩＩ−ＩＩＩ線拡大断面図である。
【図４】図２のＩＶ−ＩＶ線拡大断面図である。
【図５】チャイルドシート保持部材と受け部材と他方のサイドプレートの分解斜視図である。
【符号の説明】
【００２６】
１  座席
２  シートクッション
３  シートバック
６  一方のサイドプレート
６Ａ  他方のサイドプレート
７  連結部材
８  チャイルドシート保持部材
１５  一方の端部
１５Ａ  他方の端部
１６Ａ  孔
１７  受け部材
Ｗ  幅方向
【図１】
2005145302.tif 000003
【図２】
2005145302.tif 000004
【図３】
2005145302.tif 000005
【図４】
2005145302.tif 000006
【図５】
2005145302.tif 000007